(57)【要約】【課題】  センタで発行される解錠コードを用いる錠制御装置において、利用者の意に反する解錠操作が為されたときにこれを即座に通報できる錠制御装置を提供する。【解決手段】  監視センタから解錠コードを受信する通信部と、監視センタから受信した解錠コードおよび予め設定された所定の演算ルールを記憶する記憶部と、利用者により操作されてコードを入力する操作部と、操作部から入力されたコードが記憶部に記憶された解錠コードと一致すると非常解錠と判定し、入力されたコードが解錠コードを前記所定の演算ルールで演算した結果と一致すると正常解錠と判定する判定部と、判定部にて非常解錠と判定されると錠に解錠信号を出力するとともに監視センタに非常信号を送信し、正常解錠と判定されると錠に解錠信号を出力する制御部と、を備えたことを特徴とする錠制御装置。【選択図】  図１
2008075419.tif 000002
【特許請求の範囲】
【請求項１】
錠の解錠を制御する錠制御装置であって、
監視センタから解錠コードを受信する通信部と、
前記監視センタから受信した解錠コードおよび予め設定された所定の演算ルールを記憶する記憶部と、
利用者により操作されてコードを入力する操作部と、
前記操作部から入力されたコードが前記記憶部の解錠コードと一致すると非常解錠と判定し、前記入力されたコードが前記記憶部の解錠コードを前記所定の演算ルールで演算した結果と一致すると正常解錠と判定する判定部と、
前記判定部にて非常解錠と判定されると前記錠に解錠信号を出力するとともに前記監視センタに非常信号を送信し、正常解錠と判定されると前記錠に解錠信号を出力する制御部と、
を備えたことを特徴とする錠制御装置。
【請求項２】
更に、現在時刻を計時する時計を有し、
前記記憶部は、予め設定された解錠監視時間帯を記憶し、
前記判定部は、現在時刻が前記解錠監視時間帯でなければ、前記操作部から入力されたコードが前記記憶部の解錠コードと一致した場合に正常解錠と判定する請求項１に記載の錠制御装置。
【請求項３】
前記判定部は、現在時刻が前記解錠監視時間帯でなければ、前記操作部から入力されたコードが前記記憶部の解錠コードを前記所定の演算ルールで演算した結果と一致した場合に非常解錠と判定する請求項２に記載の錠制御装置。
【請求項４】
前記判定部は、前記解錠コードを受信してから所定時間内に限り、前記正常解錠と前記非常解錠にかかる判定処理を実行する請求項１から３の何れかに記載の錠制御装置。
【請求項５】
遠隔の監視センタと、利用者が前記監視センタとの通信に用いる利用者側装置と、錠の解錠を制御する錠制御装置とからなる錠制御システムであって、
前記監視センタは、
前記利用者側装置及び前記錠制御装置と通信するセンタ通信部と、前記利用者側装置から受信した認証情報を認証する認証手段と、前記認証情報が認証されると解錠コードを生成するコード生成手段と、前記生成された解錠コードを前記利用者側装置及び前記錠制御装置に送信する制御手段と、を備え、
前記錠制御装置は、
前記監視センタから解錠コードを受信する通信部と、前記受信した解錠コードおよび予め設定された所定の演算ルールを記憶する記憶部と、利用者により操作されてコードを入力する操作部と、前記操作部から入力されたコードが前記記憶部の解錠コードと一致すると非常解錠と判定し、前記入力されたコードが前記記憶部の解錠コードを前記所定の演算ルールで演算した結果と一致すると正常解錠と判定する判定部と、前記非常解錠と判定されると前記錠に解錠信号を出力するとともに前記監視センタに非常信号を送信し、前記正常解錠と判定されると前記錠に解錠信号を出力する制御部と、
を備えたことを特徴とする錠制御システム。
【発明の詳細な説明】
【技術分野】
【０００１】
本発明は、金庫などの電気錠やコンピュータへのアクセスのための錠などを制御する錠制御装置に関し、特に、遠隔の監視センタにて発行された解錠用のコードと利用者が入力するコードとの照合により解錠制御を行う錠制御装置とこれを用いた錠制御システムに関する。
【背景技術】
【０００２】
従来、金庫などの扉に設けられた電気錠の施解錠を制御する錠制御装置が知られている。このような錠制御装置としては、カード等の媒体情報、又は暗証番号などの解錠コードを予め錠制御装置に登録しておき、利用者が入力する情報との照合を行うものが広く知られるところである。
【０００３】
しかし、カードなどの媒体を用いて解錠する方法では、当該媒体の紛失、盗難などにより悪意の第三者に不正に利用されるおそれがある。また、他方、予め解錠用のコードを錠制御装置に登録しておく方法では、解錠コードが悪意の第三者に漏洩したときに悪用されてしまうおそれがある。
【０００４】
そこで、特許文献１には、解錠が要求される都度に解錠用のコードを遠隔のセンタにてランダムに選定し、当該解錠用のコードを錠装置と利用者に送信する鍵管理方式が提案されている。センタから利用者には、電話器又はパーソナルコンピュータを介して解錠コードが通知される。
【特許文献１】特開平１０−５４１６６号公報
【発明の開示】
【発明が解決しようとする課題】
【０００５】
この特許文献１に開示された鍵管理方式は、解錠用のコードを都度センタで発行することにより解錠コードの漏洩を防止でき、セキュリティ性の高いテンポラリな解錠コードを用いて錠の解錠を行うことが可能となるという点において非常に有用であった。
【０００６】
しかしながら、特許文献１の鍵管理方式では、押込み強盗など悪意の第三者から解錠を脅迫される事態が発生した場合に、利用者の意に反する解錠であることを通報できないという問題がある。
【０００７】
即ち、正当な利用者が悪意の第三者に脅されて強制的に電気錠を解錠せざる得ない事態が生じた場合、電気錠を解錠できないと利用者に危害が及ぶおそれがある。このため、利用者は身の安全を考えセンタに解錠コードを要求し、これに応じてセンタから電話器やパーソナルコンピュータを介して利用者に解錠コードが通知されることとなる。この結果、センタから通知された解錠コードは悪意の第三者に取得され、錠制御装置に入力されてしまうのである。特許文献１では、このように利用者の意に反した不正な解錠を通報することができず、警察や警備会社による対処が著しく遅れるという問題があった。
【０００８】
そこで、本発明は、センタで発行される解錠コードを用いる錠制御装置において、利用者の意に反する解錠操作が為されたときにこれを即座に通報できる錠制御装置および錠制御システムの提供を目的とする。
【課題を解決するための手段】
【０００９】
上記目的を達成するために本発明による錠制御装置は、錠の解錠を制御する錠制御装置であって、監視センタから解錠コードを受信する通信部と、前記監視センタから受信した解錠コードおよび予め設定された所定の演算ルールを記憶する記憶部と、利用者により操作されてコードを入力する操作部と、前記操作部から入力されたコードが前記記憶部の解錠コードと一致すると非常解錠と判定し、前記入力されたコードが前記記憶部の解錠コードを前記所定の演算ルールで演算した結果と一致すると正常解錠と判定する判定部と、前記判定部にて非常解錠と判定されると前記錠に解錠信号を出力するとともに前記監視センタに非常信号を送信し、正常解錠と判定されると前記錠に解錠信号を出力する制御部と、を備えたことを特徴としている。
【００１０】
本発明では、錠を解錠するにあたり、監視センタから受信した解錠コードによる解錠操作がなされると、錠の解錠とともに非常信号が送信される。他方、監視センタから受信した解錠コードを所定の演算ルールで演算した結果にて解錠操作されると、正常に錠を解錠する。これにより、押込み強盗などに監視センタで発行された解錠コードが取得されても、当該コードを用いた利用者の意に反する解錠操作を通報することができる。またこのとき、錠が解錠するので強盗などに通報の事実を悟られることがなく、利用者の身に危害が及ぶ可能性を低減することができる。
【００１１】
また、本発明による錠制御装置において、好ましくは、更に、現在時刻を計時する時計を有し、前記記憶部は、予め設定された解錠監視時間帯を記憶し、前記判定部は、現在時刻が前記解錠監視時間帯でなければ、前記操作部から入力されたコードが前記記憶部の解錠コードと一致した場合に正常解錠と判定する。
さらに、本発明による錠制御装置において、好ましくは、前記判定部は、現在時刻が前記解錠監視時間帯でなければ、前記操作部から入力されたコードが前記記憶部の解錠コードを前記所定の演算ルールで演算した結果と一致した場合に非常解錠と判定する。
【００１２】
これにより、解錠監視時間帯でないとき、即ち営業時間内など利用者が頻繁に錠を解錠するような時間帯においては、監視センタから受信した解錠コードがそのまま入力されたときに正常に解錠するようにすることができ、煩雑な操作を省いて利便性を向上させることができる。
また、解錠監視時間帯でないとき（利用者が頻繁に錠を解錠するような時間帯）と、解錠監視時間帯とで通報にかかる操作を異ならせることにより、解錠監視時間帯でないときの解錠方法を知り得た利用者側従業員などの内部犯行的な強盗事案であっても、強盗に悟られることなく利用者の意に反する不正な解錠であることを通報できる。
【００１３】
また、本発明による錠制御装置において、好ましくは、前記判定部は、前記解錠コードを受信してから所定時間内に限り、前記正常解錠と前記非常解錠にかかる判定処理を実行する。これにより、監視センタから受信する解錠コードの有効時限を定めることができ、よりセキュリティ性を向上させることができる。
【００１４】
また、本発明による錠制御システムは、遠隔の監視センタと、利用者が前記監視センタとの通信に用いる利用者側装置と、錠の解錠を制御する錠制御装置とからなる錠制御システムであって、前記監視センタは、前記利用者側装置及び前記錠制御装置と通信するセンタ通信部と、前記利用者側装置から受信した認証情報を認証する認証手段と、前記認証情報が認証されると解錠コードを生成するコード生成手段と、前記生成された解錠コードを前記利用者側装置及び前記錠制御装置に送信する制御手段と、を備え、前記錠制御装置は、前記監視センタから解錠コードを受信する通信部と、前記受信した解錠コードおよび予め設定された所定の演算ルールを記憶する記憶部と、利用者により操作されてコードを入力する操作部と、前記操作部から入力されたコードが前記記憶部の解錠コードと一致すると非常解錠と判定し、前記入力されたコードが前記記憶部の解錠コードを前記所定の演算ルールで演算した結果と一致すると正常解錠と判定する判定部と、前記非常解錠と判定されると前記錠に解錠信号を出力するとともに前記監視センタに非常信号を送信し、前記正常解錠と判定されると前記錠に解錠信号を出力する制御部と、を備えたことを特徴としている。
【００１５】
本発明では、監視センタから利用者に通知された解錠コードによって解錠操作がなされると、錠の解錠とともに非常信号が送信される。他方、監視センタから利用者に通知された解錠コードを所定の演算ルールで演算した結果にて解錠操作されると、正常に錠を解錠する。これにより、押込み強盗などに監視センタで発行された解錠コードが取得されても、当該コードを用いた利用者の意に反する解錠操作を通報することができる。またこのとき、錠が解錠するので強盗などに通報の事実を悟られることがなく、利用者の身に危害が及ぶ可能性を低減することができる。
【発明の効果】
【００１６】
本発明に係る錠制御装置および錠制御システムによれば、解錠用のコードを監視センタにて発行することにより解錠コードの漏洩を防止でき、また、押込み強盗などに当該監視センタで発行された解錠コードが取得されても、当該コードを用いた利用者の意に反する解錠操作を通報することができる。
【発明を実施するための最良の形態】
【００１７】
以下、本発明の実施の形態について、図面を参照して具体的に説明する。
図１は、本発明の錠制御装置を用いた錠制御システムを示す構成図である。
錠制御システムは、金庫１内に設けられて金庫扉１Ａの電気錠２を制御する錠制御装置１０と、利用者に使用される利用者側装置２０と、これら錠制御装置１０および利用者側装置２０と通信網３０を介して接続された遠隔の監視センタ４０とを含んで構成される。なお、本実施形態では、錠制御装置１０によって金庫１の電気錠２を制御する例について説明するが、これに限らず、入退室扉の電気錠を制御する錠制御装置やコンピュータシステムへのログイン許可のための錠制御装置であってもよい。
【００１８】
金庫１には、電気錠２による施解錠機構とこの電気錠２を制御する錠制御装置１０が設けられている。錠制御装置１０により電気錠２が解錠され、利用者により扉外面のハンドル１Ｂが引かれると扉１Ａが開放する。また、この開放状態から扉１Ｂが閉鎖されると電気錠２が施錠される。
【００１９】
利用者は、金庫１の解錠を行うとき、利用者側装置２０により利用者のＩＤとパスワード、解錠を希望する錠制御装置１０（金庫１）からなる認証情報を含んだ解錠要求を監視センタ４０に送信する。利用者側装置２０は、携帯電話、ＰＤＡ（personal digital assistant）、ＰＣ（personal computer）などの情報通信端末である。通信網３０に接続された基地局３１やアクセスポイントを経由して監視センタ４０と通信を行う。情報の送信形態としては、ｗｅｂページへの入力により行う手法や電子メールにて行う手法など種々の手法が知られるところであり、詳述を省略する。また、利用者は、上述の解錠要求の送信ができないときには、監視センタ４０に電話をかけることにより、口頭により監視センタ４０に対して解錠用のコードを要求する。
【００２０】
そして、利用者は、監視センタ４０から解錠コードを取得し、この解錠コードを用いて錠制御装置１０を解錠操作する。
錠制御装置１０は、監視センタ４０から送信された解錠コードを記憶し、この解錠コードと利用者が入力するコードとに基づいて、正常な解錠操作か非常事態にかかる解錠操作かを判断する。そして、非常事態にかかる解錠操作と判定すると電気錠２を解錠するとともに監視センタ４０に非常信号を出力する。
【００２１】
監視センタ４０は、警備会社が運営するサーバシステム４１を備えた施設であり、錠制御装置１０および利用者側装置２０と通信する通信部４２と、各種情報を表示するディスプレイ４３と、監視員が操作するキーボード４４及び電話器４５を有して、ディスプレイ４３を見ながら監視員が錠制御装置１０を監視している。
監視センタ４０が備えるサーバシステム４１は、監視センタ４０で必要とされる各種の処理プログラム、具体的には、利用者側装置２０及び錠制御装置１０との通信を制御する処理プログラム、利用者の認証に係る処理プログラム（認証手段）、解錠コードを生成する処理プログラム（コード生成手段）などを備えている。監視センタ４０（サーバシステム４１）の具体的な処理については後述する。
【００２２】
また、監視センタ４０は、錠制御装置１０の情報、錠制御装置１０の利用者の情報、錠制御装置１０が設置された施設の情報、当該施設の管理者の情報など、具体的には、錠制御装置１０の管理番号、錠制御装置１０の解錠資格を持つ利用者のＩＤやパスワード、錠制御装置１０が設置された施設の名称、住所、電話番号、管理者の氏名、管理者の住所、管理者の電話番号、過去の対処履歴などを記憶管理するデータベースを具備している。
【００２３】
そして、監視センタ４０は、利用者から送信された解錠要求を受信すると認証情報をデータベースに記録された情報と照合して利用者を認証し、認証ＯＫであれば解錠コードを新たに発行して、利用者側装置２０と対象の錠制御装置１０とに送出する。また、外部から監視センタ４０に電話による呼び出しが為された場合、着呼信号が通信部４２にて分離されて電話器４５に入力される。利用者から電話により解錠コードの要求がなされた場合は、監視員が電話に応答し、データベースの情報を参照して利用者を認証する。そして、認証ＯＫと判断すると、解錠コードを新たに発行して対象の錠制御装置１０に送出するとともに、電話を通して利用者に口頭で通知する。
【００２４】
また、監視センタ４０では、錠制御装置１０から受信した非常信号に基づいて対処すべき施設の情報がディスプレイ４３に表示される。監視員は、非常事態と判断すれば、当該施設の管理者に対する確認処理や、当該施設への警備員の対処指示や１１０番通報などの必要な措置をとる。
【００２５】
次に、図２に基づき錠制御装置について説明する。図２に、錠制御装置の構成を示すブロック図を示している。
錠制御装置１０は、通信網３０と接続された通信部１１と、記憶部１２と、操作部１３と、報知部１４と、時計部１５と、判定部１６と、電気錠Ｉ／Ｆ１７と、各部を制御する制御部１８から概略構成される。各部には図示しない電源部から電源が供給される。
制御部１８は、ＣＰＵ、メモリ等により実現され、メモリに記憶されている各種プログラムにしたがって錠制御装置１０の各部を制御する。各種プログラムは、必要に応じ平行して実行される。
【００２６】
通信部１１は、通信網３０を介して監視センタ４０と通信を行う。
なお、本実施形態では、通信部１１から通信網３０に直接的に接続する例について説明しているが、これに限定されるものではなく、金庫が設置された施設を警備する警備装置と通信部とを接続し、当該警備装置を介して通信網と接続される構成としてもよい。
【００２７】
記憶部１２は、通信部１１を介して監視センタ４０から解錠コードを受信するとこれを記憶する。また、記憶部１２には、予め利用者により登録操作された演算ルール及び解錠監視時間帯が記憶される。演算ルールは、解錠コードを変換するための変換方式である。本実施形態では、下一桁（一の位）に１を加算する演算ルールが記憶されている例について説明する。また、解錠監視時間帯は、利用者側施設の営業時間外など、金庫の解錠を特に監視したい時間帯として利用者に設定される時間帯である。解錠監視時間帯として利用者に設定されるのは時間情報だけに限らず、日時や曜日などを含めた情報として設定されてよい。
【００２８】
操作部１３は、金庫１の外面に設けられたテンキーより構成され、利用者に操作されて解錠用のコード入力などが行われる。
報知部１４は、ＬＥＤや液晶ディスプレイであり、金庫１の外面に設けられ（不図示）、金庫１の施解錠状態などを利用者に報知する。
時計部１５は、現在時刻を計時して制御部１８に出力する。時計部１５で計時出力されるのは時間だけに限らず、日時や曜日などを含めた現在時刻の情報として計時、出力されてよい。
【００２９】
判定部１６は、操作部１３から入力された解錠用のコード（入力コード）と、記憶部１２に記憶された解錠コード、演算ルール、解錠監視時間帯の情報、及び時計部１５が出力する現在時刻の情報とから正常な解錠操作であるか、利用者の意に反した解錠操作であるか、又は誤った解錠操作であるかを判定する。判定処理の詳細については後述する。
【００３０】
電気錠Ｉ／Ｆ１７は、電気錠装置２と接続されたインターフェースであり、判定部１６による判定結果に基づき制御部１８から出力される解錠信号を電気錠装置２へと送出する。
【００３１】
次に、本実施形態の錠制御システムにかかる動作について説明する。
図３は、監視センタにおける解錠コードの発行処理を示すフローチャート、図４は錠制御装置における解錠コードの管理処理を示すフローチャート、図５は錠制御装置における解錠処理を示すフローチャートである。
まず、図３を参照して監視センタ４０における解錠コードの発行処理について説明する。
【００３２】
図３の処理は、監視センタ４０が備えたサーバシステム４１が利用者からの解錠要求を受信したときに起動する処理である。
監視センタ４０は、利用者側装置２０からの解錠要求を受信すると、この解錠要求から利用者の認証情報を取り出して取得する（ステップＳＴ１１）。取得される認証情報は、利用者のＩＤ、パスワード、そして解錠対象となる錠制御装置１０の情報である。
【００３３】
次に、監視センタ４０は、予め情報が登録されているデータベースと認証情報とを照合して、当該利用者が解錠対象となる錠制御装置１０の解錠資格を有しているか否かを判定する（ステップＳＴ１２）。照合の結果、認証ＯＫと判定されると（ステップＳＴ１２−Ｙｅｓ）、ソフトウェア上で乱数を発生させて当該乱数により、又は複数個の乱数を組み合わせて、所定桁数の解錠コード（例えば「１２３４」）を生成する。（ステップＳＴ１３）。なお、解錠コードは、乱数から生成される例に限定されず、予め複数の解錠コードを記憶しておき、発生させた乱数によりランダムに解錠コードを選出するようにしてもよい。
【００３４】
次に、監視センタ４０は、生成された解錠コードを解錠対象の錠制御装置１０に送信する（ステップＳＴ１４）。そして、錠制御装置１０への送信が完了すると、解錠要求を送信してきた利用者側装置２０へと生成された解錠コードを送信する（ステップＳＴ１５）。
【００３５】
なお、本実施形態では、解錠要求を監視センタ４０が受信した例について説明したが、利用者は電話により監視センタ４０に口頭で解錠要求をすることもできる。この場合は、監視センタ４０の監視員が電話に応答する。監視員は、口頭で伝えられる利用者のＩＤ、パスワード、解錠対象となる錠制御装置１０の情報に応じてキーボード４４を操作し、データベースの参照、又は認証に係る処理プログラムに認証情報を入力して、照合を行う。認証ＯＫであれば、キーボード４４の操作により解錠コードの生成に係る処理プログラムを実行して、ステップＳＴ１３と同様に解錠コードを生成する。そして、送信処理を実行してステップＳＴ１４と同様に生成された解錠コードを解錠対象の錠制御装置１０に送信する。送信処理が完了すると監視員は、電話を通じて利用者に対し口頭で、生成された解錠コードを通知する。
【００３６】
このように、監視センタ４０では、利用者からの解錠要求に応じて、新たに解錠コードを発行し、当該利用者と解錠対象の錠制御装置１０に通知するのである。
次に、図４を参照して、錠制御装置１０における解錠コードの管理処理について説明する。
【００３７】
図４の処理は、錠制御装置１０が監視センタ４０から解錠コードを受信したときに起動する処理である。
錠制御装置１０は、監視センタ４０から解錠コード（例えば「１２３４」）を受信すると、受信した解錠コードを記憶部１２に記憶する（ステップＳＴ２１）。そして、時計部１５が出力する時間情報を監視して所定時間（例えば１０分）の計時を開始する（ステップＳＴ２２）。ここで、計時される所定時間は、受信した解錠コードが有効となる時間であって、この計時中に限り当該解錠コードを用いて電気錠２の解錠処理を行うことが可能となる。
【００３８】
錠制御装置１０は、所定時間の計時を開始すると、この所定時間が経過するまで時計部１５の出力を監視する（ステップＳＴ２３）。そして、所定時間が経過すると（ステップＳＴ２３−Ｙｅｓ）、ステップＳＴ２１で記憶部１２に記憶した解錠コードを消去して、係る処理を終了する。
【００３９】
このように、錠制御装置１０は、解錠コードを受信した後所定時間が経過すると当該解錠コードを消去する。これにより、監視センタ４０で解錠コードを発行してから所定時間に限り当該解錠コードによる解錠が可能となり、解錠コードの有効時限を定めてセキュリティ性を向上させることができる。
【００４０】
次に、図５を参照して、錠制御装置１０における解錠処理について説明する。
図５の処理は、錠制御装置１０の操作部１３が解錠操作されたときに起動する処理である。なお、錠制御装置１０において、図４の処理と図５の処理とは平行して実行可能である。
【００４１】
まず、錠制御装置１０は、操作部１３からコード入力による解錠操作がなされると、記憶部１２に監視センタ４０から受信した解錠コードが記憶されているか否かを判別する（ＳＴ３１）。解錠コードが記憶されていなければ（ステップＳＴ３１−Ｎｏ）、誤った解錠操作と判定して報知部１４より解錠不可の旨を出力し（ステップＳＴ３２）、係る処理を終了する。
【００４２】
他方、記憶部１２に解錠コード（例えば「１２３４」）が記憶されていれば（ステップＳＴ３１−Ｙｅｓ）、操作部１３から入力されたコード（入力コード）を記憶部１２の解錠コードと照合する（ステップＳＴ３３）。
入力コードと解錠コードとが一致すると、照合ＯＫと判定し（ステップＳＴ３４−Ｙｅｓ）、時計部１５から出力される現在時刻と記憶部１２に記憶された解錠監視時間帯の情報とを参照して、現在が解錠監視時間帯であるか否かを判別する（ステップＳＴ３５）。
【００４３】
現在が解錠監視時間帯であれば（ステップＳＴ３５−Ｙｅｓ）、利用者の意に反した非常事態にかかる解錠操作（非常解錠）と判定し、監視センタ４０に非常信号を送信する（ステップＳＴ３６）。そして、錠制御装置１０は、電気錠装置２に解錠信号を出力して金庫扉１Ａを解錠する（ステップＳＴ３７）。
即ち、解錠監視時間帯において、監視センタ４０から受信した解錠コードがそのまま入力されて解錠操作がなされると、錠制御装置１０は非常事態にかかる解錠操作と判定する。これにより、押込み強盗などに解錠を脅迫されている場合に、強盗に察知されることなく当該非常事態を通報することが可能となる。
【００４４】
他方、現在が解錠監視時間帯でなければ（ステップＳＴ３５−Ｎｏ）、正常な解錠操作（正常解錠）と判定して、錠制御装置１０は電気錠装置２に解錠信号を出力して金庫扉１Ａを解錠する（ステップＳＴ３７）。
即ち、解錠監視時間帯でなければ、監視センタ４０から受信した解錠コードをそのまま入力して解錠操作をすることで金庫扉１Ａは正常に解錠される。これにより、頻繁に解錠する可能性がある時間帯（即ち解錠監視時間帯外）においては、煩雑な演算作業を行うことなく解錠することができる。
【００４５】
また、ステップＳＴ３４において、入力コードと解錠コードとが一致しない場合、照合ＮＧと判定し（ステップＳＴ３４−Ｎｏ）、記憶部１２に記憶された演算ルールで記憶部１２内の解錠コード（「１２３４」）を変換する（ステップＳＴ４１）。ここで、本実施形態では、例として、下一桁（一の位）に１を加算する演算ルールが記憶されている場合を説明する。錠制御装置１０は、ステップＳＴ４１において、解錠コード（「１２３４」）を演算ルール（下一桁に１加算）で変換し、結果として変換コード（「１２３５」）を算出する。
【００４６】
次に、錠制御装置１０は、演算ルールによる演算結果として得られた変換コード（「１２３５」）と入力コードとを照合する（ステップＳＴ４２）。変換コードと入力コードとが照合不一致であれば（ステップＳＴ４３−Ｎｏ）、誤った解錠操作と判定して報知部１４より解錠不可の旨を出力し（ステップＳＴ３２）、係る処理を終了する。
【００４７】
他方、変換コードと入力コードとが一致すると、照合ＯＫと判定し（ステップＳＴ４３−Ｙｅｓ）、時計部１５から出力される現在時刻と記憶部１２に記憶された解錠監視時間帯の情報とを参照して、現在が解錠監視時間帯であるか否かを判別する（ステップＳＴ４４）。
【００４８】
現在が解錠監視時間帯であれば（ステップＳＴ４４−Ｙｅｓ）、正常な解錠操作（正常解錠）と判定して、錠制御装置１０は電気錠装置２に解錠信号を出力して金庫扉１Ａを解錠する（ステップＳＴ３７）。
即ち、解錠監視時間帯であれば、監視センタ４０から受信した解錠コードを演算ルールにて変換した結果を入力して解錠操作をすることで金庫扉１Ａは正常に解錠される。これにより、金庫１の解錠を特に監視したい時間帯にあって、正当な解錠資格を持つ利用者が、所用により金庫１を解錠したいときに正常に解錠を行うことができる。
【００４９】
他方、現在が解錠監視時間帯でなければ（ステップＳＴ４４−Ｎｏ）、利用者の意に反した非常事態にかかる解錠操作（非常解錠）と判定し、監視センタ４０に非常信号を送信する（ステップＳＴ３６）。そして、錠制御装置１０は、電気錠装置２に解錠信号を出力して金庫扉１Ａを解錠する（ステップＳＴ３７）。
即ち、解錠監視時間帯でなければ、監視センタ４０から受信した解錠コードを演算ルールにて変換した結果を入力して解錠操作をすることで、錠制御装置１０は非常事態にかかる解錠操作と判定する。これにより、解錠監視時間帯でない場合に非常事態が発生してもこれを通報することができる。
【００５０】
以上説明した本実施形態にかかる錠制御システムによれば、解錠監視時間帯でないとき（利用者が頻繁に電気錠を解錠するような時間帯）と、解錠監視時間帯とで正常な解錠にかかる操作を異ならせることができる。これにより、解錠監視時間帯でないときの解錠方法を知り得た利用者側従業員などの内部犯行的な強盗事案であっても、解錠監視時間帯においては当該解錠方法が非常通報を伴う操作となるので、強盗に悟られることなく利用者の意に反する不正な解錠であることを通報できる。
【００５１】
なお、解錠監視時間帯でない場合、即ち頻繁に金庫扉１Ａを解錠するような時間帯においては、ステップＳＴ３６にかかる通報処理を行わないように構成してもよい。これにより、利用者の誤操作による誤報を抑制することができる。
この場合、ステップＳＴ４４において現在が解錠監視時間帯でないと判断されたときに（ステップＳＴ４４−Ｎｏ）、ステップＳＴ３７又はステップＳＴ３２へと進むように構成する。解錠監視時間帯でない時間帯に、変換コードと一致する入力コードにて解錠操作があった場合、正常解錠（ステップＳＴ３７）とするか解錠不可（ステップＳＴ３２）とするかは利用者の要望により決定すればよい。
【図面の簡単な説明】
【００５２】
【図１】本発明の錠制御装置を用いた錠制御システムを示す概略図
【図２】本発明の錠制御装置の構成を示すブロック図
【図３】監視センタにおける解錠コードの発行処理を示すフローチャート
【図４】錠制御装置における解錠コードの管理処理を示すフローチャート
【図５】錠制御装置における解錠処理を示すフローチャート
【符号の説明】
【００５３】
１      金庫
１Ａ    金庫扉
１Ｂ    ハンドル
２      電気錠
１０    錠制御装置
１１    通信部
１２    記憶部
１３    操作部
１４    報知部
１５    時計部
１６    判定部
１７    電気錠Ｉ／Ｆ
１８    制御部
２０    利用者側装置
３０    通信網
３１    基地局
４０    監視センタ
４１    サーバシステム
４２    通信部
４３    ディスプレイ
４４    キーボード
４５    電話器
【図１】
2008075419.tif 000003
【図２】
2008075419.tif 000004
【図３】
2008075419.tif 000005
【図４】
2008075419.tif 000006
【図５】
2008075419.tif 000007